(57)【要約】【課題】時刻信号を受信して時刻情報を取得し、取得した時刻を表示する消費電力が少ない電波時計を提供する。【解決手段】電波時計１は、周期的に連続する所定のデータ列が符号化され、所定の通信方式で変調されて送信された通信信号を受信する電波受信部１０と、前記受信された通信信号から符号化されたデータを復調する逆拡散部１０５と、前記符号化されたデータを復号して、前記データ列を復元する復号部１５０と、前記符号化されたデータは、前記データ列の先頭位置を示唆するか、否かを判定するパディング判定部１２０と、前記先頭位置を示唆すると判定された場合、前記データ列の先頭位置を基準に当該データ列の復元を指示し、前記先頭位置を示唆しないと判定された場合、前記パディング判定部１２０が次に判定するまで、前記受信された通信信号から前記データ列を復元する動作を停止させる受信制御部３０とを備える。【選択図】図１
2008175672.tif 000002
【特許請求の範囲】
【請求項１】
周期的に連続する所定のデータ列が符号化され、所定の通信方式で変調されて送信された通信信号を受信する受信手段と、
前記受信された通信信号から符号化されたデータを復調する復調手段と、
前記符号化されたデータを復号して、前記データ列を復元する復元手段と、
前記符号化されたデータは、前記データ列の先頭位置を示唆するか、否かを判定する判定手段と、
前記判定手段において、前記符号化されたデータが前記先頭位置を示唆すると判定された場合、前記復元手段に対して、前記データ列の先頭位置を基準に当該データ列の復元を指示し、
前記符号化されたデータが前記先頭位置を示唆しないと判定された場合、前記判定手段が次に判定するまでの所定の時間に渡り、前記符号化されたデータを復調する動作および前記データ列を復元する動作の少なくとも１つを停止させる制御手段とを備えることを特徴とする受信装置。
【請求項２】
請求項１に記載の受信装置において、
前記判定手段は、前記符号化されたデータが、前記データ列に続く次のデータ列の先頭位置を示唆するか、否かを判定すると共に、
前記制御手段は、前記判定手段において、前記符号化されたデータが前記先頭位置を示唆すると判定された場合、前記復元手段に対して、前記次のデータ列の先頭位置を基準に当該データ列の復元を指示することを特徴とする受信装置。
【請求項３】
請求項１に記載の受信装置において、
前記判定手段は、前記符号化されたデータが、当該データを含むデータ列の先頭位置を示唆するか、否かを判定すると共に、
前記制御手段は、前記判定手段において、前記符号化されたデータが前記先頭位置を示唆すると判定された場合、前記復元手段に対して、前記データを含むデータ列の先頭位置を基準に当該データ列の復元を指示することを特徴とする受信装置。
【請求項４】
請求項１乃至３のいずれか１項に記載の受信装置において、
前記判定手段は、
前記データ列の終端に渡り配置され、所定の長さに渡り一定の値が連続するデータを検出することで判定することを特徴とする受信装置。
【請求項５】
請求項１乃至３のいずれか１項に記載の受信装置において、
前記判定手段は、
前記データ列の先頭に配置され、前記復号により値が変動しないデータを検出することで判定することを特徴とする受信装置。
【請求項６】
請求項１乃至３のいずれか１項に記載の受信装置において、
前記判定手段は、
前記符号化されたデータと、
予め記憶された前記データ列の基準データとを比較することで判定することを特徴とする受信装置。
【請求項７】
請求項１乃至６のいずれか１項に記載の受信装置において、
前記制御手段は、所定の頻度で、
前記判定手段による判定に依らず、前記符号化されたデータを順次取得して前記データ列を復元するべく制御することを特徴とする受信装置。
【請求項８】
請求項１乃至７のいずれか１項に記載の受信装置において、
前記制御手段は、
前記判定手段が、所定の回数に渡り、前記符号化されたデータが前記先頭位置を示唆しないと判定した場合、前記符号化されたデータを順次取得して前記データ列を復元するべく制御することを特徴とする受信装置。
【請求項９】
請求項１乃至８のいずれか１項に記載の受信装置において、
前記所定の通信方式は、ＣＤＭＡ通信方式であることを特徴とする受信装置。
【請求項１０】
請求項９に記載の受信装置において、
前記データ列は、シンクチャンネル信号のメッセージデータであることを特徴とする受信装置。
【請求項１１】
請求項１乃至１０のいずれか１項に記載の受信装置において、
前記データ列は、時刻に関する情報を含むことを特徴とする受信装置。
【請求項１２】
時刻情報を含む信号を受信する電波時計であって、
請求項１乃至１１のいずれか１項に記載の受信装置を備えることを特徴とする電波時計。
【請求項１３】
周期的に連続する所定のデータ列が符号化され、所定の通信方式で変調されて送信された通信信号を受信するためのアンテナへの接続端部と、
前記接続端部から供給される通信信号から符号化されたデータを復調する復調手段と、
前記符号化されたデータを復号して、前記データ列を復元する復元手段と、
前記符号化されたデータは、前記データ列の先頭位置を示唆するか、否かを判定する判定手段と、
前記判定手段において、前記符号化されたデータが前記先頭位置を示唆すると判定された場合、前記復元手段に対して、前記データ列の先頭位置を基準に当該データ列の復元を指示し、
前記符号化されたデータが前記先頭位置を示唆しないと判定された場合、前記判定手段が次に判定するまでの所定の時間に渡り、前記符号化されたデータを復調する動作および前記データ列を復元する動作の少なくとも１つを停止させる制御手段とを備えることを特徴とする受信装置用モジュール。    
【請求項１４】
配置された位置を示唆する特定データを含み、周期的に連続するデータ列の信号を受信して、前記データ列のデータを取得し、前記取得されたデータの中から前記特定データが検出された場合、前記特定データが示唆する前記位置を基準に前記データ列を抽出し、前記特定データが検出されない場合、所定の時間に渡り、前記信号から前記データの取得を中断することを特徴とする受信装置。
【請求項１５】
周期的に連続する所定のデータ列が符号化され、所定の通信方式で変調されて送信された通信信号を受信する受信工程と、
前記受信された通信信号から符号化されたデータを復調する復調工程と、
前記符号化されたデータを復号して、前記データ列を復元する復元工程と、
前記符号化されたデータは、前記データ列の先頭位置を示唆するか、否かを判定する判定工程とを備え、
前記判定工程において、前記符号化されたデータが前記先頭位置を示唆すると判定された場合、前記データ列の先頭位置を基準に、当該データ列が復元され、
前記符号化されたデータが前記先頭位置を示唆しないと判定された場合、前記判定工程が次に判定するまでの所定の時間に渡り、前記復調工程および前記復元工程の少なくとも１つが停止されることを特徴とする受信方法。
【発明の詳細な説明】
【技術分野】
【０００１】
本発明は、周期的に連続するデータ列の信号を受信する受信装置、電波時計、受信装置用モジュールおよび受信方法に関する。
【背景技術】
【０００２】
電波により送信される時刻信号を受信して、正確な時刻情報を表示する電波時計は、地上基地局から送信される長波帯域の標準電波や、ＧＰＳ（Ｇｌｏｂａｌ  Ｐｏｓｉｔｉｏｎｉｎｇ  Ｓｙｓｔｅｍ）衛星から送信される極超短波帯域の時刻信号を受信する方法に加え、近年では、下記特許文献１に記載されているように、移動通信を目的として、ＣＤＭＡ（Ｃｏｄｅ  Ｄｉｖｉｓｉｏｎ  Ｍｕｌｔｉｐｌｅ  Ａｃｃｅｓｓ）変調されて送信される極超短波帯域の電波に含まれる時刻信号を受信して、正確な時刻を取得する時計装置が提案されている。このような極超短波帯域の電波は、種々の中継局から遍く中継されるため、長波帯域の標準電波やＧＰＳ衛星からの電波と比較して、建物の中や地下のような様々な移動先においても、良好に受信できることが知られている。また、ＣＤＭＡ方式の電波を受信する時計装置は、受信開始時において、パイロットチャンネルの信号を復調して基地局との間で同期を取った後に、シンクチャンネルの信号を復調して復号することにより、ＧＰＳ時刻、うるう秒、ローカルオフセットおよびサマータイムの情報等を含む時刻情報を取得できることが知られている。
【０００３】
【特許文献１】特開２０００−３２１３８３号公報
【発明の開示】
【発明が解決しようとする課題】
【０００４】
上記した時計装置は、ＣＤＭＡ電波を受信して、パイロットチャンネルの信号を復調し、基地局との間で同期を取った後に、シンクチャンネルの信号を復調して復号することで時刻情報を取得した。この場合、シンクチャンネルの信号は、時刻情報を所定位置に含むデータ列が周期的に連続するため、１つのデータ列を先頭から取得し、時刻情報の所定位置を先頭から辿ることで、データ列から時刻情報を取得したが、最初に復号されたデータは、データ列の位置が不明であるため、このデータを含むデータ列は取得せずに見送り、次のデータ列の先頭から取得する必要があった。しかしながら、最初に復号されたデータを取得してから、次のデータ列の先頭のデータを取得するまでの間においても、先頭のデータを判別するために復号動作を継続する必要があることから、復号動作を継続することで相当の電力が消費されるため、このような時計装置の消費電力を低減することは難しかった。
【課題を解決するための手段】
【０００５】
上記した課題を解決するために、本発明の受信装置は、周期的に連続する所定のデータ列が符号化され、所定の通信方式で変調されて送信された通信信号を受信する受信手段と、前記受信された通信信号から符号化されたデータを復調する復調手段と、前記符号化されたデータを復号して、前記データ列を復元する復元手段と、前記符号化されたデータは、前記データ列の先頭位置を示唆するか、否かを判定する判定手段と、前記判定手段において、前記符号化されたデータが前記先頭位置を示唆すると判定された場合、前記復元手段に対して、前記データ列の先頭位置を基準に当該データ列の復元を指示し、前記符号化されたデータが前記先頭位置を示唆しないと判定された場合、前記判定手段が次に判定するまでの所定の時間に渡り、前記符号化されたデータを復調する動作および前記データ列を復元する動作の少なくとも１つを停止させる制御手段とを備えることを特徴とする。
【０００６】
この発明によれば、データ列が周期的に連続する通信信号を受信して復調することにより、符号化されたデータを取得し、符号化されたデータが、データ列の先頭位置を示唆するか、否かを判定し、符号化されたデータがデータ列の先頭位置を示唆する場合は、データ列が復元され、符号化されたデータがデータ列の先頭位置を示唆しない場合は、判定手段が次に判定するまでの所定の時間に渡り、受信された通信信号からデータ列を復元する動作が停止される。従って、データ列を先頭から復元できない場合は、符号化されたデータがデータ列の先頭位置を示唆可能になるまで、受信された通信信号の復調や復号が停止されるため、その間に消費される電力は削減されることから、受信装置の消費電力の低減を図ることができる。
【０００７】
本発明の受信装置では、前記判定手段は、前記符号化されたデータが、前記データ列に続く次のデータ列の先頭位置を示唆するか、否かを判定すると共に、前記制御手段は、前記判定手段において、前記符号化されたデータが前記先頭位置を示唆すると判定された場合、前記復元手段に対して、前記次のデータ列の先頭位置を基準に当該データ列の復元を指示しても良い。また、本発明の受信装置では、前記判定手段は、前記符号化されたデータが、当該データを含むデータ列の先頭位置を示唆するか、否かを判定すると共に、前記制御手段は、前記判定手段において、前記符号化されたデータが前記先頭位置を示唆すると判定された場合、前記復元手段に対して、前記データを含むデータ列の先頭位置を基準に当該データ列の復元を指示しても良い。
【０００８】
本発明の受信装置では、前記判定手段は、前記データ列の終端に渡り配置され、所定の長さに渡り一定の値が連続するデータを検出することで判定しても良く、また、前記データ列の先頭に配置され、前記復号により値が変動しないデータを検出することで判定しても良い。更に、前記符号化されたデータと、予め記憶された前記データ列の基準データとを比較することで判定しても良い。
【０００９】
本発明の受信装置では、前記制御手段は、所定の頻度で、前記判定手段による判定に依らず、前記符号化されたデータを順次取得して前記データ列を復元するべく制御しても良い。また、本発明の受信装置では、前記制御手段は、前記判定手段が、所定の回数に渡り、前記符号化されたデータが前記先頭位置を示唆しないと判定した場合、前記符号化されたデータを順次取得して前記データ列を復元するべく制御しても良い。
【００１０】
本発明の受信装置では、前記所定の通信方式は、ＣＤＭＡ通信方式であっても良い。また、本発明の受信装置では、前記データ列は、シンクチャンネル信号のメッセージデータであっても良い。更に、本発明の受信装置では、前記データ列は、時刻に関する情報を含んでも良い。
【００１１】
そして、前述の受信装置を電波時計に適用することで、低消費電力の電波時計を提供できる。
【００１２】
上記した課題を解決するために、本発明の受信装置用モジュールは、周期的に連続する所定のデータ列が符号化され、所定の通信方式で変調されて送信された通信信号を受信するためのアンテナへの接続端部と、前記接続端部から供給される通信信号から符号化されたデータを復調する復調手段と、前記符号化されたデータを復号して、前記データ列を復元する復元手段と、前記符号化されたデータは、前記データ列の先頭位置を示唆するか、否かを判定する判定手段と、前記判定手段において、前記符号化されたデータが前記先頭位置を示唆すると判定された場合、前記復元手段に対して、前記データ列の先頭位置を基準に当該データ列の復元を指示し、前記符号化されたデータが前記先頭位置を示唆しないと判定された場合、前記判定手段が次に判定するまでの所定の時間に渡り、前記符号化されたデータを復調する動作および前記データ列を復元する動作の少なくとも１つを停止させる制御手段とを備えることを特徴とする。
【００１３】
この発明によれば、周期的に連続するデータ列の信号からデータ列のデータを取得し、取得したデータの中から、配置された位置を示唆する特定データを検出した場合は、特定データが示唆する位置を基準にデータ列を抽出し、特定データを検出できない場合は、信号からデータの取得を所定の時間に渡り中断する。従って、受信装置用モジュールは、所定の時間に消費される電力の低減を図ることができる。
【００１４】
上記した課題を解決するために、本発明の受信装置は、配置された位置を示唆する特定データを含み、周期的に連続するデータ列の信号を受信して、前記データ列のデータを取得し、前記取得されたデータの中から前記特定データが検出された場合、前記特定データが示唆する前記位置を基準に前記データ列を抽出し、前記特定データが検出されない場合、所定の時間に渡り、前記信号から前記データの取得を中断することを特徴とする。
この発明によれば、周期的に連続するデータ列の信号を受信して、データ列のデータを取得し、取得したデータの中から、配置された位置を示唆する特定データを検出した場合は、特定データが示唆する位置を基準にデータ列を抽出し、特定データを検出できない場合は、受信した信号からデータの取得を所定の時間に渡り中断する。従って、受信装置は、所定の時間に消費される電力の低減を図ることができる。
【００１５】
上記した課題を解決するために、本発明の受信方法は、周期的に連続する所定のデータ列が符号化され、所定の通信方式で変調されて送信された通信信号を受信する受信工程と、前記受信された通信信号から符号化されたデータを復調する復調工程と、前記符号化されたデータを復号して、前記データ列を復元する復元工程と、前記符号化されたデータは、前記データ列の先頭位置を示唆するか、否かを判定する判定工程とを備え、前記判定工程において、前記符号化されたデータが前記先頭位置を示唆すると判定された場合、前記データ列の先頭位置を基準に、当該データ列が復元され、前記符号化されたデータが前記先頭位置を示唆しないと判定された場合、前記判定工程が次に判定するまでの所定の時間に渡り、前記復調工程および前記復元工程の少なくとも１つが停止されることを特徴とする。
【００１６】
この発明によれば、データ列が周期的に連続する通信信号を受信して復調することにより、符号化されたデータを取得し、符号化されたデータが、データ列の先頭位置を示唆するか、否かを判定し、符号化されたデータがデータ列の先頭位置を示唆する場合は、データ列が復元され、符号化されたデータがデータ列の先頭位置を示唆しない場合は、判定手段が次に判定するまでの所定の時間に渡り、受信された通信信号からデータ列を復元する動作が停止される。従って、データ列を先頭から復元できない場合は、符号化されたデータがデータ列の先頭位置を示唆可能になるまで、受信された通信信号の復調や復号が停止されるため、その間に消費される電力は削減されることから、受信装置の消費電力の低減を図ることができる。
【発明を実施するための最良の形態】
【００１７】
以下、本発明の実施形態について、時刻情報を含む電波を受信して時刻を表示する電波時計を用いて説明する。
【００１８】
（実施形態１）
図１は、本発明の実施形態として受信装置を適用した電波時計１の構成を示すブロック図である。電波時計１は、ＣＤＭＡ変調されて送信される極超短波帯域の電波に含まれる時刻情報を受信して、時刻情報が有する正確な時刻を表示する。この電波時計１は、時刻情報がＣＤＭＡ変調されて送信された電波を、アンテナ１５を用いて受信し、受信した電波を接続端部を介して外部へ供給可能な電波受信部１０と、電波受信部１０で受信された電波の高周波信号をベースバンド信号に変換すると共に、ＡＤ変換してデジタル信号に変換するＲＦ処理部２０と、位相が直交する２つのデジタル信号（Ｉ信号、Ｑ信号）に対してＣＤＭＡの復調処理を施し、時刻情報を含むデータを復号するベースバンド処理部２５と、復号されたデータから時刻に関する情報を抽出する時刻情報抽出部３５と、抽出された時刻情報を出力する時刻情報出力部４０と、この電波時計１における受信機能を制御する受信制御部３０とを備える。
【００１９】
ベースバンド処理部２５は、同期部１００と、逆拡散部１０５と、データ判定部１１０と、符号データ取得部１１５と、パディング判定部１２０と、復号部１５０とを備える。
同期部１００は、Ｉ信号およびＱ信号から基地局を識別するために短周期ＰＮコードのタイミング同期を取り、逆拡散部１０５に通知する。また、タイミング同期に対応して、短周期ＰＮコードの先頭を示す同期タイミング信号（図５）が出力される。逆拡散部１０５は、通知されたタイミング同期に基づいて、Ｉ信号とＱ信号に短周期ＰＮコードを乗算すると共に、チャネライゼーション符号であるＷａｌｓｈコードの０番を乗算して積分することでパイロットチャンネル信号を復調し、Ｗａｌｓｈコードの３２番を乗算して積分することでシンクチャンネル信号を復調する。尚、パイロットチャンネル信号は、基地局と受信機の同期を取るために用いられ、シンクチャンネル信号は、基地局から時刻情報やシステム設定情報等を通知するために用いられる。データ判定部１１０は、パイロットチャンネル信号により位相回転を除外し、シンクチャンネル信号の二位相偏移変調（ＢＰＳＫ）データを判定することで復調する。復調されたデータは、符号化された符号データとして、順次復号部１５０に送られると共に、符号データ取得部１１５により取得される。
【００２０】
ここで、シンクチャンネル信号のデータ構成について、図２および図３を参照して説明する。図２は、シンクチャンネル信号のメッセージデータのデータ領域を説明する図であり、図３は、シンクチャンネル信号のメッセージデータの分割を説明する図である。シンクチャンネル信号のメッセージデータは、一定の繰り返し周期で連続するデータ列であり、１つのデータ列は、図２に示すように、所定のビット数でそれぞれ定義された複数のフィールドを含む。これらフィールドの中で、ＭＳＧ＿ＬＥＮＧＴＨとＣＲＣを除いたフィールドは、ＭｅｓｓａｇｅＢｏｄｙと呼ばれ、２〜１１４６ビットの範囲で定義される。このＭｅｓｓａｇｅＢｏｄｙの中で、ＳＹＳ＿ＴＩＭＥ、ＬＰ＿ＳＥＣ、ＬＴＭ＿ＯＦＦおよびＤＡＹＬＴは、時刻情報を取得するために必要なフィールドである。また、ＣＲＣは、ＭＳＧ＿ＬＥＮＧＴＨとＭｅｓｓａｇｅＢｏｄｙにおいて、ビットデータの誤りをチェックするための符号列である。
【００２１】
また、図３に示すように、シンクチャンネル信号のメッセージデータは、ＭＳＧ＿ＬＥＮＧＴＨ、ＭｅｓｓａｇｅＢｏｄｙ、ＣＲＣおよびＰａｄｄｉｎｇ（パディング）で構成される。シンクチャンネル信号のメッセージデータは、９３ビットの単位で構成されるため、１つのメッセージデータの長さは、９３ビットの整数倍になる。パディングは、このデータ長さを確保するために０ビットで構成されるデータである。また、図３に示すように、シンクチャンネル信号のデータは、３２ビット単位の９ブロックで区切られ、それぞれのブロックの先頭には、先頭を示すＳＯＭ（Ｓｔａｒｔ  Ｏｆ  Ｍｅｓｓａｇｅ）ビットが付加される。このＳＯＭビットには、メッセージデータの先頭を示すビット（ＳＯＭ１＝１）と、それぞれのブロックの先頭を示すビット（ＳＯＭ０＝０）とが定義される。これらのブロックの中で、時刻情報を含むフィールドは、４ブロック、５ブロックおよび６ブロックに含まれる。また、パディングは、本実施形態１では、８ブロックと９ブロックに含まれる。
【００２２】
図１に戻り、復号部１５０は、デインターリーバ１５５と、デリピータ１６０と、誤り訂正処理部１６５とを備え、基地局からのデータ送信時にリピータおよびインターリーバにより施されたデータの順序の並び換えを、デインターリーバおよびデリピータにより元の順序に戻すことで復号する。図４は、復号処理を説明する図であり、復号処理の説明と理解を容易にすべく、この図４も参照して説明する。最初に、デインターリーバ１５５は、データ判定部１１０から送られる符号データの順番の並び替えを、ブロック毎に１２８ビット単位で行う。尚、この処理は、本実施形態１では、２６．６ミリ秒程度要する。次に、デリピータ１６０は、デインターリーバ１５５で得られた１２８ビットのデータを、それぞれ１ビット間引くことにより、６４ビット単位のデータに変換する。続いて、誤り訂正処理部１６５は、１／２の畳み込み符号化された６４ビットのデータを復号処理することで、３２ビットに変換する。本実施形態１では、この処理を行うことにより、数ビット分のデータが遅延する。以上の処理により、メッセージデータの各ブロックに含まれるフィールドの情報が取得可能に、メッセージデータが復元される。
【００２３】
時刻情報抽出部３５は、復元されたメッセージデータを先頭から所定のビット数オフセットすることで、前記したＳＹＳ＿ＴＩＭＥを始めとする時刻情報を含むフィールドに対応するデータを取得して、時刻に関する情報を抽出する。また、時刻情報出力部４０は、抽出された時刻に関する情報を、表示体等への表示や、他の機器への送信等により出力する。更に、受信制御部３０は、パディング判定部１２０からの指示や、同期タイミング信号（図５）に従い、受信に関する動作の中断を制御する。本実施形態１では、受信制御部３０は、ＲＦ処理部２０およびベースバンド処理部２５の少なくとも１つに対して、動作の断続を制御できるように構成されている。
【００２４】
符号データ取得部１１５は、データ判定部１１０から出力された符号データを取得し、パディング判定部１２０に送る。パディング判定部１２０は、符号データが、次のメッセージデータの先頭位置を示唆するか、否かを判定する。本実施形態１では、メッセージデータの終端に渡り配置され、所定の長さに渡り一定の値が連続するデータを検出することで判定する。より具体的には、このパディング判定部１２０は、符号データ取得部１１５から送られた符号データが所定の長さに渡り０が連続することにより、送られた符号データが所定のパディング領域を示すデータであるか、否かを判定する。尚、図５は、復調したメッセージデータのブロックに応じた制御信号を説明する図であり、この図５も参照して説明する。前記したように、本実施形態では、パディングは、８ブロックと９ブロックに含まれるため、９ブロックのデータが、データ判定部１１０から出力された場合、基地局側で並び換え（インターリーバ）された符号データであっても、すべて０になる。従って、連続する符号データが全て０である場合、これらの符号データは、メッセージデータを構成するブロックの終端である９ブロックのデータの何れかであり、次のメッセージデータの先頭データが近く取得できることを示唆している。パディング判定部１２０は、この判定をゼロパディング信号として受信制御部３０に送る。受信制御部３０は、この判定を受け、所定の待機時間を経て、ＲＦ処理部２０やベースバンド処理部２５に対して、受信信号の復調処理および復号処理を指示するべく制御信号を出力する。この結果、復号部１５０で復号されたデータの中からメッセージデータの先頭を検出できる。
【００２５】
また、連続する符号データの全てが０ではない場合、少なくとも９ブロックのデータでは無いと判定する。パディング判定部１２０は、この判定をゼロパディング信号として受信制御部３０に送る。受信制御部３０は、この判定を受け、ＲＦ処理部２０やベースバンド処理部２５に対して、受信信号の復調処理および復号処理を所定の時間に渡り中断すべく制御信号を出力する。尚、本実施形態１では、１つのブロックが処理される２６．６ミリ秒程度中断するように指示するが、この値には限定されない。また、８ブロックにおいても、パディングが検出されるため、パディングが検出されても検出を継続し、続けてパディングが検出された場合は、復号処理を停止しても良い。
【００２６】
上記したこれらの各機能部は、図示は略すが、電気回路で実現させても良く、また、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）およびメモリカード等で構成され、これらのハードウェアとソフトウェアとを協働させて実現しても良い。
【００２７】
図６は、電波時計１により時刻情報が表示される処理の流れを説明するフローチャートである。この処理が開始されると、最初に、ステップＳ２００において、電波時計１は、時刻情報を含むＣＤＭＡ変調された信号を受信する。次に、ステップＳ２０５において、電波時計１は、受信した信号を、Ｉ信号とＱ信号のデジタル信号に変換する。次に、ステップＳ２１０において、電波時計１は、デジタル信号からパイロットチャンネル信号を復調し、同期タイミングを取得する。
【００２８】
次に、ステップＳ２１５において、電波時計１は、取得した同期タイミングに基づき、シンクチャンネル信号を復調する。続いて、ステップＳ２２０において、電波時計１は、復調されたシンクチャンネル信号の１つのデータブロックの先頭から符号データを順次取得する。次に、ステップＳ２３０において、電波時計１は、連続する所定の個数の符号データから、これらのデータがパディングデータか、否かを判定する。
【００２９】
ここで、取得されたデータがパディングデータであると判定された場合（ステップＳ２３０でＹｅｓ）、ステップＳ２５５に進み、電波時計１は、所定の待機時間の後、パディングデータを取得したメッセージデータの次に取得されるメッセージデータの先頭から符号データを復号する。続いて、ステップＳ２６０において、電波時計１は、復号したデータからメッセージデータを復元し、ＳＹＳ＿ＴＩＭＥフィールドが示す時刻情報を抽出する。次に、ステップＳ２６５において、電波時計１は、時刻情報を表示し、ステップＳ２７０に進む。他方で、取得されたデータがパディングデータではないと判定された場合（ステップＳ２３０でＮｏ）、ステップＳ２５０に進み、電波時計１は、次のブロックの先頭のデータを取得できるまで、受信動作を所定の時間中断し、ステップＳ２７０に進む。尚、図示は、略すが、所定の回数に渡り、取得されたデータがパディングデータであると判定できない場合は、このフローチャートによる処理を終了して、全ての符号データを復号し、メッセージデータを取得して、時刻情報を取得しても良い。
【００３０】
ステップＳ２７０において、電波時計１は、ユーザ等から終了指示されているか、否かを判定する。ここで、終了指示されている場合（ステップＳ２７０でＹｅｓ）、ステップＳ２７５に進み、受信動作を終了して、一連の処理を終了する。他方で、終了指示されていない場合（ステップＳ２７０でＮｏ）、ステップＳ２８０で信号を受信し、次いで、ステップＳ２８５で、受信した信号をＩ信号とＱ信号のデジタル信号に変換した後、ステップＳ２１５に戻り、一連の処理を繰返す。尚、図示は略すが、このフローチャートによる処理を繰返す中で、所定の頻度で、パディング判定部１２０による判定に依らず、符号データを順次復号し、データ列を復元しても良い。
【００３１】
以上述べた実施形態によれば、以下のような効果を奏する。
（１）電源を電池により供給されるような電波時計１は、消費電力の低減が図れることから、電池交換の頻度が減少する。特に、電波時計１を適用した携帯電話や腕時計の場合、消費電力が少ないことから、搭載する電池が低容量でも良いため、携帯電話や腕時計を小型化および軽量化できる。
【００３２】
（実施形態２）
次に、本発明の実施形態２について、図７、図８および図９を参照して説明する。図７は、実施形態２として受信装置を適用した電波時計１の構成を示すブロック図であり、図８は、実施形態２において、復調したメッセージデータのブロックに応じた制御信号を説明する図であり、図９は、実施形態２において、電波時計１により時刻情報が表示される処理の流れを説明するフローチャートである。尚、以下の説明では、既に説明した部分と同じ部分については、同一符号を付してその説明を省略する。
【００３３】
実施形態１では、パディング判定部１２０でパディングデータを判定したが、図７に示すように、実施形態２では、パディング判定部１２０に加えて、メッセージデータの先頭に配置され、復号により値が変動しないデータを検出することで判定するＳＯＭ判定部１２５を更に加える。本実施形態２では、ＳＯＭ判定部１２５は、パディング判定部１２０において、パディングデータであると判定されたのを受けて、メッセージデータの先頭を示すビットを検出し、このビットがＳＯＭ１か、またはＳＯＭ０かを判定する。ここで、図８に示すように、実施形態１と比較して、受信制御信号は、各ブロックの区切りよりも所定の時間早いタイミングで送られる。尚、本実施形態２では、パディング判定部１２０に入力されるデータは、復号されていない状態であるため、データ列の先頭を示すビットがＳＯＭ１の場合は、メッセージデータの先頭である場合と、ＳＯＭ０が畳み込み符号化によりＳＯＭ１になった場合とが想定される。また、データ列の先頭を示すビットがＳＯＭ０の場合は、少なくとも、データ列の先頭ではないと判定できる。従って、最初に、パディング判定部１２０で判定し、次いで、ＳＯＭ判定部１２５で判定することで、メッセージデータを確実に検出できる。
【００３４】
また、図９に示すように、ステップＳ２３０において、連続する所定の個数の符号データから、これらのデータがパディングデータと判定された場合（ステップＳ２３０でＹｅｓ）、ステップＳ２３５において、ＳＯＭ１であるか、否かを判定する。ここで、先頭を示すビットがＳＯＭ１である場合（ステップＳ２３５でＹｅｓ）、メッセージデータの先頭であると判断し、ステップＳ２５５を実行する。他方で、先頭を示すビットがＳＯＭ０である場合（ステップＳ２３５でＮｏ）、パディングデータの判定および先頭を示すビットの判定の何れかが誤った可能性があるため、本実施形態２では、ステップＳ２５０に進み、受信動作を所定の時間中断する。この場合、先頭を示すビットが誤っている可能性もあるため、ステップＳ２５５に進み、復号処理を行っても良い。
【００３５】
以上述べた実施形態２によれば、実施形態１で述べた（１）の効果に加え、以下のような効果を奏する。
（２）メッセージデータのパディングデータ領域に加え、データ列の先頭を示すビットも検出して、メッセージデータの先頭を判定するため、データ列の先頭を判定する精度が向上する。更に、データ列がメッセージデータの先頭と判定した場合、そのデータ列を即座に復元できるため、時刻情報を取得するための処理速度が向上する。
【００３６】
（実施形態３）
次に、本発明の実施形態３について、図１０および図１１を参照して説明する。図１０は、実施形態３として受信装置を適用した電波時計１の構成を示すブロック図であり、図１１は、実施形態３において、電波時計１により時刻情報が表示される処理の流れを説明するフローチャートである。
【００３７】
実施形態１では、パディング判定部１２０で判定されたパディングデータにより、次のメッセージデータの先頭データを取得したが、実施形態３では、図１０に示すように、パディング判定部１２０に替えて、ビットパターン比較判定部１３０と、符号データ記憶部１３５とを備える。符号データ記憶部１３５は、以前に受信され復調されたメッセージデータの先頭を起点に、所定の長さに渡る符号化されたデータをビットパターンとして記憶する。また、ビットパターン比較判定部１３０は、符号データ記憶部１３５に記憶されたビットパターンと、符号データ取得部１１５で取得されたデータのビットパターンとを比較することで、符号データ取得部１１５で取得されたデータがメッセージデータの先頭を含むか、否かを判定する。
【００３８】
本実施形態３では、メッセージデータの先頭を示すＳＯＭから、メッセージデータの長さを示すＭＳＧ＿ＬＥＮＧＴＨ、メッセージデータの種類を示すＭＳＧ＿ＴＹＰＥ、通信システムのプロトコルに関するバージョンを示すＰ＿ＲＥＶおよびサポートされる最小のプロトコルに関するバージョンを示すＭＩＮ＿Ｐ＿ＲＥＶまでのフィールドをビットパターンとして採用する。これらのフィールドは、ＣＤＭＡ方式を採用した移動通信システムのバージョンが改定されるまでは変化しない値であり、通常はほとんど変更されない値である。
【００３９】
本実施形態３では、図１１に示すように、ステップＳ２４０において、電波時計１は、取得された連続する所定の個数の符号データと、記憶されたビットパターンとを比較する。この結果、ステップＳ２４５において、２つが同一のビットパターンであると判定された場合（ステップＳ２４５でＹｅｓ）、ステップＳ２５５に進み、２つが同一のビットパターンでないと判定された場合（ステップＳ２４５でＮｏ）、ステップＳ２５０に進む。尚、同一ビットパターンの判定は、全て一致する条件であっても良く、また、一致しないビットが所定数以下とする条件であっても良い。
【００４０】
以上述べた実施形態３によれば、実施形態１で述べた（１）と同様な効果を奏する。
【００４１】
（実施形態４）
次に、本発明の実施形態４について、図１２および図１３を参照して説明する。図１２は、実施形態４として受信装置を適用した電波時計１の構成を示すブロック図であり、図１３は、実施形態４において、電波時計１により時刻情報が表示される処理の流れを説明するフローチャートである。
実施形態１では、パディング判定部１２０でメッセージデータのパディングデータを判定することにより、次のメッセージデータの先頭データを取得したが、実施形態４では、図１２に示すように、パディング判定部１２０と、ＳＯＭ判定部１２５と、ビットパターン比較判定部１３０と、符号データ記憶部１３５とを備え、パディングデータの判定、メッセージデータの先頭を示すビットの判定およびメッセージデータのビットパターンの判定を多段的に行う。
【００４２】
本実施形態４では、図１３に示すように、ステップＳ２３０において、連続する所定の個数の符号データから、これらのデータがパディングデータと判定された場合（ステップＳ２３０でＹｅｓ）、ステップＳ２３５において、ＳＯＭ１であるか、否かを判定する。ここで、先頭を示すビットがＳＯＭ１である場合（ステップＳ２３５でＹｅｓ）、更に、ステップＳ２４０において、電波時計１は、取得された連続する所定の個数の符号データと、記憶されたビットパターンとを比較する。この結果、ステップＳ２４５において、２つが同一のビットパターンであると判定された場合（ステップＳ２４５でＹｅｓ）、ステップＳ２５５に進む。他方で、パディングデータと判定されない場合（ステップＳ２３０でＮｏ）、先頭を示すビットがＳＯＭ０である場合（ステップＳ２３５でＮｏ）および２つが同一のビットパターンでないと判定された場合（ステップＳ２４５でＮｏ）、ステップＳ２５０に進む。尚、ステップＳ２３５において、ＳＯＭ１であるか、否かの判定は、ステップＳ２４０において、ビットパターンの比較処理と合わせて実行しても良い。
【００４３】
以上述べた実施形態４によれば、実施形態１で述べた（１）の効果に加え、以下のような効果を奏する。
（３）メッセージデータのパディングデータ領域と、メッセージデータの先頭を示すビットを検出すると共に、メッセージデータの先頭のビットパターンを基準のパターンと比較することでメッセージデータの先頭を判定するため、データ列の先頭を判定する精度がより向上する。
【００４４】
以上、本発明を図示した実施形態１〜実施形態４に基づいて説明したが、本発明は、これらの実施形態に限定されるものではなく、以下に述べるような変形例も想定できる。
（１）上記した各実施形態は、電波時計１への適用を想定したが、本発明の受信装置は、これに限るものではなく、情報を処理するために正確な時刻情報が必要な情報処理装置等に適用できる。
（２）上記した各実施形態は、メッセージデータを構成するデータの内、先頭部や終端部のデータを使って、メッセージデータの区切りを検出したが、先頭部や終端部に配置されるデータに限定されるものでは無く、メッセージデータに配置された位置を特定できるデータであれば、データの配置場所は問わない。
【図面の簡単な説明】
【００４５】
【図１】本発明の実施形態１に係る電波時計の構成を示すブロック図。
【図２】メッセージデータのデータ領域を説明する図。
【図３】メッセージデータの分割を説明する図。
【図４】メッセージデータの復号処理を説明する図。
【図５】復調したメッセージデータのブロックに応じた制御信号を説明する図。
【図６】本発明の実施形態１に係る電波時計により時刻情報が表示される処理の流れを説明するフローチャート。
【図７】本発明の実施形態２に係る電波時計の構成を示すブロック図。
【図８】実施形態２において、復調したメッセージデータのブロックに応じた制御信号を説明する図。
【図９】本発明の実施形態２に係る電波時計により時刻情報が表示される処理の流れを説明するフローチャート。
【図１０】本発明の実施形態３に係る電波時計の構成を示すブロック図。
【図１１】本発明の実施形態３に係る電波時計により時刻情報が表示される処理の流れを説明するフローチャート。
【図１２】本発明の実施形態４に係る電波時計の構成を示すブロック図。
【図１３】本発明の実施形態４に係る電波時計により時刻情報が表示される処理の流れを説明するフローチャート。
【符号の説明】
【００４６】
１…電波時計、１０…電波受信部、１５…アンテナ、２０…ＲＦ処理部、２５…ベースバンド処理部、３０…受信制御部、３５…時刻情報抽出部、４０…時刻情報出力部、１００…同期部、１０５…逆拡散部、１１０…データ判定部、１１５…符号データ取得部、１２０…パディング判定部、１２５…ＳＯＭ判定部、１３０…ビットパターン比較判定部、１３５…符号データ記憶部、１５０…復号部、１５５…デインターリーバ、１６０…デリピータ、１６５…訂正処理部。
【図１】
2008175672.tif 000003
【図２】
2008175672.tif 000004
【図３】
2008175672.tif 000005
【図４】
2008175672.tif 000006
【図５】
2008175672.tif 000007
【図６】
2008175672.tif 000008
【図７】
2008175672.tif 000009
【図８】
2008175672.tif 000010
【図９】
2008175672.tif 000011
【図１０】
2008175672.tif 000012
【図１１】
2008175672.tif 000013
【図１２】
2008175672.tif 000014
【図１３】
2008175672.tif 000015